(57)【要約】【課題】  電子部品などを取付けたシャーシをキャビネット内部にネジを使用しないで取付ける電気機器であって、シャーシの取付けが簡単であると共に、リサイクルするために分解することも簡単に出来る電気機器の提供。【解決手段】  キャビネット底にはＬ型をした複数のフック２０ａ，２０ｂ・・を起立して設け、又キャビネット背板２５には水平に延びるフック２２ａ，２２ｂを設けている。そしてシャーシ１８の底２４に貫通して設けた穴２１ａ，２１ｂ・・及びシャーシ１８の背板２６に貫通して設けた穴２３ａ，２３ｂには、シャーシ１８をスライドすることで上記Ｌ型フック２０ａ，２０ｂ・・及び背板２５に設けたフック２２ａ，２２ｂが係合する。又キャビネット底には撓み変形可能な位置決めフック２７を設けると共に、シャーシ１８に形成した係止穴２８に係止する。【選択図】    図２
2005136140.tif 000002
【特許請求の範囲】
【請求項１】
電子部品などを取付けたシャーシをキャビネット内部にネジを使用しないで取付ける電気機器において、キャビネットには複数のフックを設け、シャーシに貫通して設けた穴には該シャーシをスライドすることで上記フックを係合し、又キャビネット底には撓み変形可能な位置決めフックを設けると共に、シャーシに形成した係止穴に係止したことを特徴とするシャーシをキャビネット底面に係止した電気機器。
【請求項２】
電子部品などを取付けたシャーシをキャビネット内部にネジを使用しないで取付ける電気機器において、キャビネット底にはＬ型をした複数のフックを起立して設け、又キャビネット背板には水平に延びるフックを設け、シャーシの底に貫通して設けた穴及びシャーシの背板に貫通して設けた穴には、該シャーシをスライドすることで上記Ｌ型フック及び背板に設けたフックを係合し、又キャビネット底には撓み変形可能な位置決めフックを設けると共に、シャーシに形成した係止穴に係止したことを特徴とするシャーシをキャビネット底面に係止した電気機器。
【請求項３】
上記シャーシの底にフックを設けてキャビネット底に設けた穴に係合させた請求項１、又は請求項２記載のシャーシをキャビネット底面に係止した電気機器。
【請求項４】
上記キャビネット底の下面には、「分解用ツメ」又はこれに類似する表示を、該位置決めツメの付近に表示した請求項１、請求項２、又は請求項３記載のシャーシをキャビネット底面に係止した電気機器。
【発明の詳細な説明】
【技術分野】
【０００１】
本発明は、基板、コンデンサー、その他の電子部品などを取付けたシャーシをネジ止めしないで、簡単にしかも安定してキャビネット底面に取付けることが出来る電気機器に関するものである。
【背景技術】
【０００２】
ディスク装置やビデオ装置等の電気機器は各種電子部品がシャーシ上に取付けられ、この状態で外観を覆うことが出来るキャビネットに内装される。この場合、シャーシを固定する手段として、従来からネジ止めが成されて来ているが、該ネジ止めを行うには一般に数本のネジが必要となる。
【０００３】
これら各ネジをネジ穴に螺合して締め付ける作業は面倒であると共に多くの工数がかかり、電気機器のコスト高を招いている。一方、ネジ止めするには、シャーシの位置合わせが必要であり、ネジを挿入して螺合可能な位置にシャーシをセットしなくてはならず、この位置合わせ作業も面倒であることから工数の増大をもたらす。
【０００４】
特開平１１−４０９５７号に係る「電子機器のシャーシ構造」はキャビネット底面への直接のネジ止め構造ではないが、連結部材を介して内部ケースをシャーシに固定している。
【０００５】
特開２００３−１９８１５３号に係る「電子機器ユニット取付構造」は、ユニットを装置本体に対して着脱する場合、ネジや工具を必要とすることなく、極めて容易に行えるようにして、作業工数を削減することが出来る。すなわち、ユニットの一側面と当接する当接面を有すベースシャーシにユニットを載置し、シャーシの下部に設けたガイドレールに沿ってスライドブラケットをブラケットの凸部とシャーシの係合孔とが係合するまで摺動させる。この係合完了時に、ブラケットの弾性バネがユニットの他側面と当接し、この弾性バネとシャーシの当接面とによりユニットが挟持され固定される。
【０００６】
しかしこの取付け構造を用いてユニットを取付けるにはネジを必要としないが、ベースシャーシとスライドブラケットが必要であり、トータルの製作コストは安くならない。そして、ベースシャーシとスライドブラケットにて挟持されたユニットはキャビネットに収容されなくてはならず、本発明が目的とするシャーシの係止構造とは大きく違っている。
【０００７】
一方、環境問題及び省資源から、不要になった電気機器はそのまま廃棄することは出来ず、使用されている部材をリサイクルする為に材質ごとに分離される。この際、分離作業が簡単であることがこれから先重要な要件となる。単に組立て作業が低工数で簡単なだけでなく、手軽に分解出来て、材質ごとに手軽に分別可能な構造とすることが電気機器にも要求される。
【特許文献１】特開平１１−４０９５７号に係る「電子機器のシャーシ構造」
【特許文献２】特開２００３−１９８１５３号に係る「電子機器ユニット取付構造」
【発明の開示】
【発明が解決しようとする課題】
【０００８】
このように、従来のシャーシ取付け構造には上記のごとき問題がある。本発明が解決しようとする課題はこれら問題点であり、簡単に取付けできると共に分解してリサイクルを図ることを可能とする為に、シャーシをキャビネット底に係止して取付けることが出来る電気機器を提供する。
【課題を解決するための手段】
【０００９】
本発明に係る電気機器は電子部品などを取付けたシャーシをキャビネット底にネジを使用しないで係止して取付けることが出来る構造としている。そこで、キャビネットにはフックが設けられ、該フックがシャーシに形成している穴に係合して取付けられる。シャーシはキャビネット底に置かれてスライドすることでフックが穴に係合することが出来る構造と成っている。
【００１０】
そして、係合したフックがシャーシの穴から外れないように、別の位置決めフックが設けられて係止穴に係止し、シャーシの後退スライドを阻止することが出来る。上記フックはシャーシの前部及び後部に設けた穴に係合して該シャーシはキャビネットと連結する。そして、上記位置決めフックは撓み変形可能な形態とし、その為に上記係止穴に係止するが、該位置決めフックを削除又は解除することでシャーシはキャビネットから簡単に分離することが出来る構造と成っている。
【発明の効果】
【００１１】
本発明の電気機器はキャビネットにフックを設け、該フックがシャーシに形成している穴に係合することで取付けることが出来る。すなわち、シャーシをキャビネット底に配置したところでスライドするならば、上記フックは穴に係合して連結される。そして、底に設けた位置決めフックがシャーシの係止穴に係止することでシャーシのスライドが阻止されて固定される。このように、シャーシはネジを使用しないで、ワンタッチ方式でキャビネット底に取付けられる。
【００１２】
一方、電気機器を廃棄する場合には、キャビネット底に設けている位置決めフックを削除又は解除することで、シャーシはキャビネットから簡単に分離でき、部材のリサイクルを行う上で便利である。該位置決めフックはキャビネットの底面から適当な道具を使用して簡単に削除又は解除することが出来る。ここで、シャーシ底にフックを設け、該フックが係合する穴をキャビネット底に形成することも可能である。そして、該フックの形態は限定せず、又穴の形状の任意であり、溝も含まれる。
【実施例】
【００１３】
図１はディスク装置を示す外観図である。正面中央部にはトレイが出入りするトレイ口１１が設けられ、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早送りボタン、１２ｃは早戻しボタン、１２ｄはスキップボタン、１２ｅはトレイオープンボタンとして機能させることが出来る。
【００１４】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１５】
化粧板１３はフロント部に貼着された状態で上記キャビネット１４に取付けられるが、該キャビネット１４の正面開口に正しく位置合わせされなくてはならない。すなわち、化粧板１３とキャビネット開口との間に位置ズレ・段差が発生しないように、フロント部に貼着される際に位置決めしている。又、実施例の上記キャビネット１４は上下に分割されて、上キャビネット部１５と下キャビネット部１６との組合せで構成している。
【００１６】
図２はディスク装置の展開図であり、フロント部１７、下キャビネット部１６、上キャビネット部１５、及びシャーシ１８に分解される。本発明では、下キャビネット部１６の底１９にシャーシ１８を取付け、この取付けに際してネジを用いないでフックに係合して取付けられ、そしてフロント部１７が取付けられ、最後に上キャビネット部１５が重ね合わされる。
【００１７】
下キャビネット部１６の底１９にはＬ型を成して起立した４個のフック２０ａ，２０ｂ・・が設けられ、シャーシ１８の底２４には長方形の穴２１ａ，２１ｂ・・が４個穿設されている。また、下キャビネット部１６の背板２５の上端には２個のフック２２ａ，２２ｂが水平に延び、シャーシ１８の背板２６には細長い穴２３ａ，２３ｂが貫通して設けられている。
【００１８】
又、下キャビネット部１６の底１９の中間部には撓み変形する位置決めフック２７が設けられ、シャーシ１８の底２４の中間部には係止穴２８が穿設されている。ところで、シャーシ１８を取付ける場合には、下キャビネット部１６の底１９に配置される。この場合、４個のフック２０ａ，２０ｂ・・が穴２１ａ，２１ｂ・・に各々嵌るように位置決めして配置される。
【００１９】
この状態で、シャーシ１８を後方(背板側)へスライドさせるならば、Ｌ型をしたフック２０ａ，２０ｂ・・は穴２１ａ，２１ｂ・・の縁に係止する。同時に背板２６に設けている穴２３ａ，２３ｂにはフック２２ａ，２２ｂが嵌入する。従って、シャーシ１８は持ち上げても下キャビネット部１６から外れることはない。そして、位置決めフック２７はシャーシ底２４に穿設している係止穴２８に係止して、シャーシ１８は下キャビネット底１９に位置決めされてスライドすることが出来なくなる。
【００２０】
図３はシャーシ１８が下キャビネット部１６に取付けられた場合を示している。シャーシ１８の前部ではフック２０ａ，２０ｂ・・が、後部ではフック２２ａ，２２ｂが係合して互いに連結し、そしてこれら各フック２０ａ，２０ｂ・・、及びフック２２ａ，２２ｂが外れないように位置決めフック２７が係止穴２８に係止している。
【００２１】
図４は下キャビネット部１６の平面図を示している。フック２０ａはＡ−Ａ断面拡大図を(ｂ)に示すようにＬ型を成して底１９から起立し、底面２９との隙間３０はシャーシ１８の底厚に相当する寸法となっている。そこで、穴２１ａにフック２０ａが嵌った状態でシャーシ１８がスライドするならば、穴２１ａの縁が隙間３０に嵌入して係合する。
【００２２】
又Ｂ−Ｂ断面拡大図を(ｃ)に示すように、位置決めフック２７は先端を略直角三角形断面とし、背面側が垂直に起立した係止面３１とし、前側が傾斜面３２と成っている。そして、位置決めフック２７は撓み変形可能であるが、通常は底面２９から上方へ突出している。シャーシ１８が底１９に配置されるならば、位置決めフック２７はシャーシ底２４に押されて下方へ撓み、スライドして係止穴２８に嵌るならば上方へ弾性復帰して係止面３１が係止穴２８の縁に係止する。従って、シャーシ１８は位置決めされて元の位置へスライドすることが出来なくなる。
【００２３】
図５は下キャビネット部１６の底面を表している。四隅には脚３３，３３・・を設け、そして中間部には位置決めフック２７を有している。そして該位置決めフック２７の付近には「分解用ツメ」なる表示を設けている。すなわち、「分解用ツメ」を表示したシールが貼り付けられていて、該位置決めツメ２７を削除又は解除することで、取付けられているシャーシ１８が下キャビネット部１６から簡単に分離できる。
【００２４】
すなわち、位置決めフック２７が削除又は解除されるならば、シャーシ１８はスライドしてフック２０ａ，２０ｂ・・及びフック２２ａ，２２ｂから外れて分離される。該位置決めフック２７は適当な道具を隙間から差し込んで削除又は解除することが出来る。
【００２５】
図６は下キャビネット部１６にシャーシ１８を取付ける工程を示している。(ａ)は下キャビネット部１６の底１９にシャーシ１８を配置した場合であるが、この場合、シャーシ１８の底２４に形成している穴２１にフック２０が嵌っている。そして、シャーシ１８の底２４に押し下げられて位置決めフック２７は下方へ撓んでいる。
【００２６】
そこで、シャーシ１８を後方の背板２５側へスライドさせるならば、フック２０は穴２１の縁に係止し、同時にフック２２は穴２３に嵌入する。さらに、位置決めフック２７は上方へ弾性復帰して係止穴２８に係止する。位置決めフック２７が一旦係止穴２８に係止すれば、シャーシ１８は位置決めフック２７を係止穴２８から外さない限り下キャビネット部１６から分離することは出来ない。
【００２７】
図７はシャーシ１８を下キャビネット部１６から分離する場合であり、位置決めフック２７が底１９から削除される。(ａ)は位置決めフック２７を削除した場合を示している。位置決めフック２７が削除されるならば、シャーシ１８はスライドしてフック２０は穴２１から外れ、又フック２２は穴２３から外れ、シャーシ１８は下キャビネット部１６から分離される。(ｂ)はシャーシ１８が分離される場合を示している。勿論、位置決めフック２７を削除しなくても、適度に撓み変形することで解除して係止穴２８から外し、この状態でシャーシ１８を分離してもよい。
【図面の簡単な説明】
【００２８】
【図１】ディスク装置の外観図。
【図２】ディスク装置の展開図。
【図３】下キャビネット部にシャーシを取付けた場合。
【図４】(ａ)は下キャビネット部の平面図、(ｂ)はＡ−Ａ断面拡大図、(ｃ)はＢ−Ｂ断面拡大図。
【図５】下キャビネット部の底面図。
【図６】シャーシを下キャビネット部に係止して取付ける工程。
【図７】シャーシを下キャビネット部から分離する工程。
【符号の説明】
【００２９】
11  トレイ口
12  プッシュボタン
13  化粧板
14  キャビネット
15  上キャビネット部
16  下キャビネット部
17  フロント部
18  シャーシ
19  底
20  フック
21  穴
22  フック
23  穴
24  底
25  背板
26  背板
27  位置決めフック
28  係止穴
29  底面
30  隙間
31  係止面
32  傾斜面
33  脚
【図１】
2005136140.tif 000003
【図２】
2005136140.tif 000004
【図３】
2005136140.tif 000005
【図４】
2005136140.tif 000006
【図５】
2005136140.tif 000007
【図６】
2005136140.tif 000008
【図７】
2005136140.tif 000009